(57)【要約】      （修正有）【課題】口内から各種ツボに対して、刺激を与えて、それによる種々の治療効果を得ることができ、且つ顔面の美容にも効果がある口内刺激具を提供する。【解決手段】被押圧部としての口内の迎香、鼻流、散笑もしくは巨りょうと呼ばれるツボを口内の上歯と上唇の間から上方へ押圧し得る上部５０４と、上部５０４と一体的に形成された下部５０２とを有する本体５２３を備え、上部５０４に上唇小体を受容する切欠き５０６が形成され、下部５０２に手で把持して前記上部５０４を上方へ押圧し得る把持部が形成されている。【選択図】図９
0003144217.tif 000002
【実用新案登録請求の範囲】
【請求項１】
被押圧部としての口内の迎香、鼻流、散笑もしくは巨りょうと呼ばれるツボを口内の上歯と上唇の間から上方へ押圧し得る上部と、該上部と一体的に形成された下部とを有する本体を備え、前記上部に上唇小体を受容する切欠きが形成され、前記下部に手で把持して前記上部を上方へ押圧し得る把持部が形成されていることを特徴とする口内刺激具。
【請求項２】
前記本体の形状が略Ａ形、略Ｂ形、略Ｅ形、略Ｒ形、変形Ｒ形、変形Ｖ形、略凹形、変形ハート形のいずれか１つであることを特徴とする請求項１記載の口内刺激具。
【請求項３】
前記本体の形状が略Ｙ形、変形Ｙ形のいずれかであることを特徴とする請求項１記載の口内刺激具。
【請求項４】
前記本体の形状が略Ｖ形、略ハート形のいずれか１つであることを特徴とする請求項１記載の口内刺激具。
【請求項５】
前記本体の形状が略Ｈ形、略Ｋ形、略Ｍ形、略Ｎ形、変形Ｓ形、略Ｘ形、略Ｚ形のいずれか１つであることを特徴とする請求項１記載の口内刺激具。
【請求項６】
前記本体の形状が略Ｃ形、略Ｕ形のいずれか１つであることを特徴とする請求項１記載の口内刺激具。
【請求項７】
前記本体の形状が多角形であり、前記上部が前記多角形の本体からさらに上方に湾曲しながら左右に延びる触覚状部分を有し、該触覚状部分の基端部に前記切欠きが形成されていることを特徴とする請求項１記載の口内刺激具。
【請求項８】
前記本体が五角形であることを特徴とする請求項７記載の口内刺激具。
【請求項９】
前記本体の一部に通気孔が形成されていることを特徴とする請求項１から８いずれか１項記載の口内刺激具。
【請求項１０】
前記把持部が前記下部の領域内に形成されていることを特徴とする請求項１から９いずれか１項記載の口内刺激具。
【請求項１１】
前記把持部が前記下部に追加して形成されていることを特徴とする請求項１から９いずれか１項記載の口内刺激具。
【考案の詳細な説明】
【技術分野】
【０００１】
本考案は、口内からツボを押圧して種々の治療を行ったり、顔面の美容を行うための口内刺激具に関するものである。
【背景技術】
【０００２】
東洋医学では、従来より図２に示すように顔面にはいくつかの経穴（ツボ）があり、このツボをハリまたは灸で刺激するとツボに応じて様々な不快感を解消し得ることが知られている。
【０００３】
例えば、図２に示すように両鼻翼（小鼻の丸い部分）Ａ，Ａの外縁の中点と鼻唇溝（鼻の両側の溝）Ｂ，Ｂとの各中間部位にある「迎香」と呼ばれるツボＣを刺激すると、嗅覚異常、鼻づまり等を解消し得る。また、鼻孔と鼻中隔小柱と鼻翼の直線上の中心点にある「鼻流」と呼ばれるツボＤ、または「迎香」の下方で鼻唇溝の中心にある「散笑」と呼ばれるツボＥを刺激すると、鼻炎の症状を解消し得る。両鼻翼の外方３ｃｍの位置にある「巨りょう」と呼ばれるツボＦを刺激すると、鼻カタル、三又神経痛、顔面神経麻痺の症状を改善し得る。
【０００４】
ところで、上記「迎香」、「巨りょう」等は、顔の表面からはうまく押すことができないのみでなく、長時間押圧することも不可能なので、専門の鍼灸師による鍼治療または灸治療に頼らざるを得なかった。そこで、本願出願人は上記の各種ツボに対して、専門家に頼らなくても容易にかつ大きな痛みを伴うことなく刺激を与えて、それによる種々の治療効果を期待し得る口内刺激具として、歯の一部に装着される装着部と、その装着部に固定され装着部が歯に装着された状態で、口内から被押圧治療部を押圧し得る押圧部とを備えた口内刺激具を提案した（特許文献１）。
【０００５】
また、各種ツボを刺激するために口内に異物を入れる違和感をなくすために、ガムやキャンディーとして形成した口内刺激具も提案している（特許文献２）。
【特許文献１】特許第３１９９２３６号公報
【特許文献２】特許第３２０２９８０号公報
【考案の開示】
【考案が解決しようとする課題】
【０００６】
本願出願人提案の上記口内刺激具により各種のツボ「迎香」、「巨りょう」等を刺激することにより、前述の如く、専門の鍼灸師による鍼治療または灸治療に頼らなくても治療を行うことができるようになっている。
【０００７】
また、近年、特に女性において美容、美顔術が盛況であり、そのための美容成形が行われる場合もある。しかし、それに要する時間、費用等が相当なものであり、誰でも簡単に行えるようなものではなく一般的ではない。
【０００８】
本考案の目的は、上記本願出願人提案の上記口内刺激具に改良を加え、より使いやすくした口内刺激具を提供することにある。
【課題を解決するための手段】
【０００９】
本考案の口内刺激具は、被押圧部としての口内の迎香、鼻流、散笑もしくは巨りょうと呼ばれるツボを口内の上歯と上唇の間から上方へ押圧し得る上部と、上部と一体的に形成された下部とを有する本体を備え、上部に上唇小体を受容する切欠きが形成され、下部に手で把持して上部を上方へ押圧し得る把持部が形成されていることを特徴とするものである。
【００１０】
ここで、口内刺激具の上部、下部とは、口内刺激具を使用するために口内に入れたときにそれぞれ上、下になる部分をいう。
【００１１】
また、本体の形状が略Ａ形、略Ｂ形、略Ｅ形、略Ｒ形、変形Ｒ形、変形Ｖ形、略Ｙ形、変形Ｙ形、略凹形、変形ハート形のいずれか１つとすることができる。
【００１２】
ここで、本体の形状とは、必ずしも使用のために口内に配置した状態での上下方向を考慮した形状とは限らない。すなわち、口の中に入れたときの状態から上下逆、或いは９０度回転して一般的に認識し得る形状であってもよい。
【００１３】
また、本体の形状が略Ｖ形、略ハート形のいずれか１つとすることができる。
【００１４】
また、本体の形状が略Ｈ形、略Ｋ形、略Ｎ形、略Ｍ形、略Ｘ形のいずれか１つとすることができる。
【００１５】
また、本体の形状が略Ｃ形、略Ｕ形のいずれか１つとすることができる。
【００１６】
また、本体が多角形であり、上部が多角形の本体からさらに上方に湾曲しながら左右に延びる触覚状部分を有し、触覚状部分の基端部に前記切欠きが形成されているように構成することもできる。また、本体を五角形としてもよい。
【００１７】
また、本体の一部に通気孔が形成されていてもよい。
【００１８】
また、把持部は下部の領域内に形成されていても、下部に追加して形成されていてもよい。
【００１９】
具体的な形態は図をもって後述する。
【００２０】
なお、形状を表すのに略という用語を使用したが、この意味するところは、高さ、幅、厚みを有する形状が、特定の寸法或いは、寸法関係にある場合の他、それから僅かにずれた寸法を有する場合を含むだけでなく、それぞれの寸法要素を互いに別々に変更し、その結果、上下と左右の比率等が変わる形状も含むことを意味する。
【考案の効果】
【００２１】
本考案による口内刺激具は、被押圧部としての口内の迎香、鼻流、散笑もしくは巨りょうと呼ばれるツボを口内の上歯と上唇の間から上方へ押圧し得る上部と、上部と一体的に形成された下部とを有する本体を備え、上部に上唇小体を受容する切欠きが形成され、下部に手で把持して上部を上方へ押圧し得る把持部が形成されているので、上唇小体に痛みを与えることなく、手で押圧位置や押圧力を容易にコントロールしながら効果的に口内から口の近くに位置する迎香、鼻流、散笑、巨りょう等の被押圧治療部を押圧して刺激を与え、それによって種々の治療効果を期待することができる。さらに、これらのツボの刺激により、顔のゆがみがとれて美容に効果がある。また外出中に使用することも全く問題なく使用できるという利点がある。
【００２２】
本体の形状が略Ａ形、略Ｂ形、略Ｅ形、略Ｒ形、変形Ｒ形、変形Ｖ形、略Ｙ形、変形Ｙ形、略凹形、変形ハート形、略Ｈ形、略Ｋ形、略Ｍ形、略Ｎ形、変形Ｓ形、略Ｘ形、略Ｚ形、略Ｃ形、略Ｕ形のいずれでも、本願考案の効果が得られるので、極めて多様な形状で構成することができる。
【００２３】
また、本体が多角形であり、上部が多角形の本体からさらに上方に湾曲しながら左右に延びる触覚状部分を有し、触覚状部分の基端部に切欠きが形成されている場合は、上部左右の触覚状部分が適切な弾力を有するので、押圧する角度が変わってもツボを押圧する効果が損なわれず、誰でも容易に使用することができる。また、本体が五角形の場合も同様な効果を得ることができる。
【００２４】
本体の一部に通気孔が形成されている場合は、口内刺激具の形状によっては、呼吸が苦しくなる場合でも、通気孔により楽に呼吸ができる。
【００２５】
また、把持部が下部の領域内に形成されている場合は、形状をコンパクトにできるので、口のサイズにかかわらず誰でも容易に使用することができる。
【００２６】
また、把持部が下部に追加して形成されている場合は、口内刺激具を手で持ち易くなるので、誰でも一層使い易いものとなる。
【００２７】
また、請求項１〜１０に共通する効果として、ツボを刺激することで顔面の歪みを矯正することができる。また、灸等による治療のように顔面に痕跡を残すこともないから美容上からも好ましい。
【００２８】
上記押圧部が「迎香」と呼ばれるツボを上唇の内側から上方へ押圧し得る形状に形成されている場合は、嗅覚に異常が生じたり、風邪あるいは花粉症によって鼻水が止まらなかったり、あるいは鼻づまり等の症状を解消することができる。特に花粉症に対して効果がある。
【００２９】
また、上記押圧部が「鼻流」または「散笑」と呼ばれるツボを押圧すれば、鼻炎の症状を改善することができ、「巨りょう」と呼ばれるツボを押圧すれば、鼻カタル、三又神経痛、顔面神経麻痺の症状を改善することができる。
【考案を実施するための最良の形態】
【００３０】
以下、本考案の実施の形態を図面に基づいて詳細に説明する。図１は、本考案に係る口内刺激具の一例を示す。図１に示すように、口内刺激具１は、ポリエチレン等により形成された平板状のアルファベットの略Ｙ形（Ｙ字状）を呈した本体３を有する。口内刺激具１は、被押圧部としての口内のツボを上方へ押圧し得る上部４と、この上部４と一体に形成された下部２と、この下部２の下縁８に、下部２の領域からさらに下方に延長するように一体に形成された把持部２５とを有する。把持部２５は、図１では下部２と同じ幅に形成されているが、下部２より狭幅であっても、広幅であってもよい。
【００３１】
上部４は、口内刺激具１を口内に挿入したときに、口中の上歯茎と上唇の間にある上唇小体（図示せず）を受容する切欠き６を上部４の上縁１２中央に有している。これは、使用時に上部４が上唇小体を度々突き上げると痛みを感じるのでこれを避けるためのものである。上部４は、切欠き６を挟んで切欠き６の両側に形成されている。
【００３２】
材質は、ポリエチレンの他、例えばガムベースや水飴に乳化剤、ゼラチン、糊料等を混入させたもので、常温では剛性を有し、口内で噛む内に軟化する材料で形成された板状体であってもよい。しかし、軟化する材料でなく繰り返し使用できる材料で作った板状体であってもよい。
【００３３】
口内刺激具１の下部２と把持部２５を併せた形状は、略矩形状であり、口内刺激具１の全体の高さすなわち全高の約１/２、全幅の約１/２のサイズとなっている。前述の切欠き６の寸法は、高さ（深さ）が全高の約１/４、最大幅は全幅の約１/５となっている。また、上部４には、上方に拡開しながら延びる傾斜した側縁１０、１０が形成されており、上縁１２は水平に延びている。
【００３４】
この口内刺激具１の表面には、側縁１０と同じように傾斜し、上端が上縁１２に達する溝線１０ａ、１０ａと、この溝線１０aの下側に下部２と同様の外形形状の溝線８ａが形成されている。これらの溝線８ａ、１０ａにより口内刺激具１の本体３と略相似的であり、且つ口内刺激具１より小さいＹ形の形状が描写されている。これらの小型のＹ形の部分は、溝線８ａ、１０ａに沿ってはさみ等で切断して、例えば子供用の口内刺激具１ａとして使用することができる。これらの溝線８ａ、１０ａは、口内刺激具１の成形時に、その表面に溝として形成される。
【００３５】
また、口内刺激具１を口内に配置する際、鏡を見ながら自分で挿入することができるように、左右方向の配置の目安として上下に延びる中心溝１４が形成されている。これらの溝線８ａ、１０ａ、中心溝１４は、必ずしも形成されていなくても良い。また、溝線８ａ、１０ａ、中心溝１４のうち選択的に何れかが形成されていてもよい。
【００３６】
この口内刺激具１の使用方法は、把持部２５を指（手）で把持して、上部４を上歯の歯茎と上唇との間のくぼみの天井部に挿入し、上方へ押圧する。その結果、前述の迎香と呼ばれる経穴（ツボ）Ｃ，Ｃを上唇の内側から上方へ押圧して刺激する。また、鼻流と呼ばれるツボＤもしくは散笑と呼ばれるツボＥを上唇の内側から上方へ押圧することもできる。また、上部４は巨りょうと呼ばれるツボＦを上唇の内側から上方へ押圧して、嗅覚に異常が生じたり、風邪あるいは花粉症によって鼻水が止まらなかったり、鼻づまりが生じたときの症状を解消することができる。口内刺激具１を押圧する際、把持部２５があるため押圧箇所や、押圧力を容易にコントロールすることができる。
【００３７】
口内刺激具１は平板状であるが、必ずしも平板状である必要はない。この変形例を、図３を参照して説明する。口内刺激具１’は、上部４’と下部２’と、把持部２５’を有し、形状全体を歯の並びに沿うように予め湾曲させている。口内刺激具１は、通常、熱湯に入れて軟化させて、口内に入れて硬化させて使用するので、自然に歯の並びに整合した形状に湾曲する。従って、予め湾曲した形状にすることは必ずしも必須ではないが、すでに湾曲形状であれば、熱湯に入れる手間をかけずに容易に使用することができる。
【００３８】
以上に本考案の口内刺激具１およびその変形例の口内刺激具１’について説明したが、口内刺激具の形状は、上記実施形態に限られるものではなく、種々の形状が考えられる。例えば、上記アルファベットのＹ字状以外に、他のアルファベットの文字に類似させた形状であってもよい。このような形状の例について、図４〜図７を参照して説明する。図４〜図７は、口内刺激具として成り立つ、アルファベット等、代表的な形状を示すものである。以下、その形状について説明する。なお、第１の実施形態と共通な部分あるいは自明な部分は、図示および説明を省略する。また、図４〜図７における各例は、本体の基本的な形状を示すものであるが、いずれの本体の下部領域内にも把持部があり、これ自体で本願考案の口内刺激具として成り立つものである。また、本体の下部に追加して把持部を形成した例については後述する。なお、図４〜図７中、一点鎖線は、概ね上部と下部の境界を示す。
【００３９】
図４は、口内刺激具として成り立つ他の形状を示す。図４（Ａ）は、互いに平行な上縁１０３と下縁１０８を有し、被押圧部を押圧する上縁１０３の中央に切欠き１０６を有する変形Ｖ形の口内刺激具１００を示す。図４（Ｂ）は、互いに平行な上縁１１３と下縁１１８を有し、被押圧部を押圧する上縁１１３の中央に切欠き１１６を有する凹形の口内刺激具１１０を示す。図４（Ｃ）は、被押圧部を押圧する上縁１２３の中央に切欠き１２６を有するＶ形あるいは略三角形の口内刺激具１２０を示す。口内刺激具１２０の下端１２９は尖った形状となっている。図４（Ｄ）は、略平行な上縁１３３と下縁１３８を有し、被押圧部を押圧する上縁１３３の中央に切欠き１３６を有する変形Ｖ形の口内刺激具１３０を示す。図４（Ｅ）は互いに平行な上縁１４３と下縁１４８を有し、被押圧部を押圧する上縁１４３の中央に矩形の切欠き１４６を有する変形Ｙ形の口内刺激具１４０を示す。口内刺激具１４０は、上部１４４より狭幅の略矩形の下部１４２を有する。図４（Ｆ）は、互いに平行な上縁１５３と下縁１５８を有し、被押圧部を押圧する上縁１５３の中央に切欠き１５６を有するＹ形の口内刺激具１５０を示す。このＹ形の口内刺激具１５０は、前述の図１の実施形態の口内刺激具１よりさらにアルファベットのＹ字に近い形状を呈している。
【００４０】
また、図５は口内刺激具として成り立つ別の形状を示す。図５（Ａ）はハート形の口内刺激具１６０を示し、上方の２箇所に湾曲した、被押圧部を押圧する上縁１６３を有する。この上縁１６３、１６３の間に切欠き１６６を有し、下端１６８は尖った形状を呈している。図５（Ｂ）は、図５（Ａ）の口内刺激具１６０と同様な形状の変形ハート形の口内刺激具１７０を示す。口内刺激具１７０は、切欠き１７６が形成された被押圧部を押圧する上縁１７３を有し、下縁１７８が横に直線的に伸びている。図５（Ｃ）はＫ形の口内刺激具１８０示す。上縁１８３と下縁１８８にそれぞれ切欠き１８６、切欠き（第２の切欠き）１８７を有し、一側縁１８５が上縁１８３と下縁１８８に直角であり、その一側縁１８５と逆向きの他側に、さらに切欠き１８９を有する。この実施形態では、幅広の上縁１８３が被押圧部を押圧するようになっている。
【００４１】
図５（Ｄ）はＲ形の口内刺激具１９０を示す。なお、口内刺激具１９１は、図示する位置から上下逆にした状態で口中に挿入するので、口中に挿入する状態を基準にして説明する。互いに平行な上縁１９８および下縁１９３および上縁１９８と、下縁１９３に略直角な一側縁１９１と、一側縁１９１とは逆向きの他側縁１９５とを有する。上縁１９８には切欠き１９７が形成され、一側縁１９１には、他の切欠き１９９が形成されている。口内刺激具１９０には下部に通気孔すなわち開口１９２が形成されている。また、図５（Ｅ）は、図５（Ｄ）のＲ形の口内刺激具１９０と同様な形状の変形Ｒ形の口内刺激具２００であり、側縁２０５が傾斜している点が口内刺激具１９０と相違している。この口内刺激具２００も口内に挿入するときは、図示の位置と上下逆に挿入する。この口内刺激具２００も開口２０２を有する。図５（Ｆ）は、互いに平行な上縁２１３および下縁２１８を有し、上縁２１３と下縁２１８にそれぞれ矩形の切欠き２１６、切欠き（第２の切欠き）２１７が形成されたＨ形の口内刺激具２１０である。この実施形態の場合、上縁２１３と下縁２１８のどちらで被押圧部を押圧するようにしても良い。
【００４２】
図６は、口内刺激具として成り立つさらに他の形状を示す。図６（Ａ）は本体の形状が略Ｂ形を呈している口内刺激具２２０である。なお、口内刺激具２２０は、図示する位置から９０度反時計回りに回転させた状態で口中に挿入するので、口中に挿入する状態を基準にして説明する。口内刺激具２２０は互いに平行な上縁２２１と下縁２２５と、上縁２２１および下縁２２５に対し直角の一側縁２２３および他側縁２２８を有する。上縁２２１は、湾曲した切欠き２２９を挟んで、僅かに外側に湾曲した２つの互いに離隔した形状に形成されている。このＢ形の口内刺激具２２０の場合、上縁２２１が被押圧部を押圧する部分となる。また口内刺激具２２０の図において、上部２２４の左右に開口２２２、２２２が形成されている。
【００４３】
また、図６（Ｂ）は、外形が全体として略Ｃ形の口内刺激具２３０を示す。口内刺激具２３０は、口内刺激具２２０と同様に、９０°反時計回りに回転させた状態で口中に挿入されるものである。従って、説明にあたり口中に挿入する状態を基準にして説明する。口内刺激具２３０は、略楕円形の略中央に楕円形の開口２３２を有しており、被押圧部を押圧する弧状の上縁２３１に、開口２３２に連通する切欠き２３９が形成されている。図６（Ｃ）は本体の形状がＥ形を呈する口内刺激具２４０を示す。この口内刺激具２４０もまた、９０度反時計回りに回転させて使用するので、使用時の状態を基準として説明する。口内刺激具２４０は互いに平行な上縁２４１と下縁２４５と、これらの上縁２４１、下縁２４５と直角な一側縁２４３および他側縁２４８を有する。また、上縁２４１側に切欠き２４９を有し、切欠き２４９内に矩形の突出部２４９ａが形成されている。この口内刺激具２４０の場合、上縁２４１が被押圧部を押圧する部分となる。図６（Ｄ）は、上部に切欠き２５６、下縁２５８にＭ形の切欠き（第２の切欠き）２５７を有するＭ形の口内刺激具２５０を示す。口内には上部側が上を向くように挿入される。
【００４４】
図６（Ｅ）は被押圧部を押圧する上縁２６３にＵ字状の切欠き２６６が形成されたＵ形の口内刺激具２６０である。図６（Ｆ）は上縁２７３、下縁２７８にそれぞれ切欠き２７６、切欠き（第２の切欠き）２７７を有し、上縁２７３と下縁２７８の間の一側と他側にはそれぞれ切欠き２７９ａ、２７９ｂが形成され、全体としてＸ形を呈した口内刺激具２７０である。上縁２７３が非押圧部を押圧するように口内に配置される。なお、この口内刺激具２７０においては、切欠き２７６および２７７の最大切取り幅が。口内刺激具２７０の全高の１/２より大きい寸法となっている。このような寸法関係のとき、口内刺激具２７０の高さ方向の端縁を辺とは称さないものとする。また、このＸ形の実施形態において、切欠き２７６、２７７、２７９ａ、２７９ｂを同程度の大きさとし、上下左右のいずれを被押圧部に向けて使用できるようにしてもよい。
【００４５】
図７は口内刺激具として成り立つさらに別の形状を示したものである。図７（Ａ）は互いに平行な上縁２８３、下縁２８８に、それぞれ切欠き２８６、切欠き（第２の切欠き）２８７が形成されたＮ形の口内刺激具２８０である。切欠き２８６は切欠き２８７より僅かに大きい。またこの形状は９０度回転させればＺ形ということもできる。すなわち、この実施形態の口内刺激具２８０は、Ｎ形およびＺ形の口内刺激具である。口内刺激具２８０は、口内には上縁２８３が被押圧部を押圧するように配置される。しかし、切欠き２８６、２８７が同程度の大きさであれば、図において上下いずれの側を上向きにしても良い。図７（Ｂ）はＡ形の口内刺激具２９０を示す。この口内刺激具２９０は、使用するときは図示の位置と上下逆に口中に挿入する。従って、説明にあたり、使用するときの状態を基準に説明する。口内刺激具２９０は、互いに平行な上縁２９８および下縁２９３を有し、上縁２９８に切欠き２９７を有し、中間部に開口２９２を有する。上縁２９８が被押圧部を押圧する部分となる。図７（Ｃ）は変形Ｓ形の口内刺激具３００を示す。この口内刺激具３００は９０度反時計回りに回転させて使用するので、使用時の状態を基準に説明する。口内刺激具３００は、互いに略平行な上縁３０１と下縁３０５を有し、その間に互いに反対方向に傾斜した一側縁３０３と、一側縁３０３とは逆向きの他側縁３０８を有する。下縁３０５には他側縁３０８に沿って平行に延びる切欠き（第２の切欠き）３０９ａが形成され、被押圧部を押圧する上縁３０１には切欠き３０９ｂが形成されている。
【００４６】
次に、図８を参照して、前述の実施例の口内刺激具の下部領域に追加して別途把持部を形成した場合について例示する。図８（Ａ）は、図５（Ｂ）の変形ハート型の口内刺激具１７０に把持部を設けた図であり、図８（Ｂ）は、図５（Ｆ）のＨ形の口内刺激具２１０に把持部を設けた図である。なお、説明にあたり、同じ部品については同じ参照番号を付して説明する。
【００４７】
図８（Ａ）に示す変形ハート形の口内刺激具１７０’は、図５（Ｂ）の口内刺激具１７０の下部１７２の下縁１７８に、下縁１７８と同じ長さ（幅）の把持部１７５が下方に設けられている。この把持部１７５は、図示の形状に限定されるものではなく種々の形状であってもよい。例えば、ハート形の形状の下部１７２の全体を下方まで延出した形状となるように把持部を設けてもよい。この場合、ハート形の形状は下方に細長いものとなる。なお、図８（Ａ）において、下部１７２と把持部１７５との境界を一点鎖線で示す。
【００４８】
また、図８（Ｂ）においては、図５（Ｆ）のＨ形の口内刺激具２１０の下部２１２の下縁２１８の一方に把持部２１５が追加して設けられている。把持部２１５の幅は下部２１２の下縁２１８の一方の長さ（幅）と同じであるが、例示の形状より、狭幅或いは広幅としてもよい。また長さも例示の寸法より長くても短くてもよい。また、把持部２１５を下部２１２の両側に設けてもよい。
【００４９】
図４〜図７に例示した他の形状についても、同様に口内刺激具の下部に把持部が設けられる。
【００５０】
次に、図９を参照して、さらに別の形状について説明する。図９は、触覚状部分を有する他の口内刺激具の例を示す図である。口内刺激具５００は、直線状の下縁（端縁）５０３を有する略五角形の本体５２３を有し、本体５２３の上部５０４から概ね触覚状の部分５２４、５２４が左右に分かれて延出している。触覚状部分５２４、５２４は、上部５０４の一部であり、各々上方に湾曲しながら先端５２４ａ同士の間隔が本体５２３の全幅を超えるまで延出している。触覚状部分５２４、５２４の基端部５２６は、上唇小体を受容する略Ｖ形の切欠き５０６を形成している。また先端５２４ａは円弧状に形成されている。上部５０４は左右に僅かに円弧状に膨出しており、下部５０２は上部５０４より僅かに幅が狭い略矩形状となっている。しかし、下部５０２は上部５０４と同程度の幅であってもよいし、あるいは幅広であってもよい。また、その形状も必ずしも矩形形状である必要はない。また、本体５２３の形状も五角形の他、６角形、等多角形とすることもできる。下部５０２の下方に下部５０２と一体に把持部５２５が形成されている。把持部５２５は、図９では下部５０２より狭幅となっているが、同じ幅でも、広幅でもよい。また長さも図示の寸法より長くても短くてもよい。上部左右の触覚状部分５２４は適切な弾力を有するので、押圧する角度が多少変わってもツボを押圧する効果が損なわれず、誰でも容易に使用することができる。なお、触覚状部分５２４の長さ、幅および湾曲の程度は、上記実施例に限られるものではなく、効果が得られる範囲内で変形、変更が可能であることはいうまでもない。この実施形態において、把持部５７５のない形状、すなわち触覚状部分５２４オ有する本体５２３だけでも、下部５０２に指で把持する把持部があるので、本願考案の口内刺激具となる。
【００５１】
上述した各種の口内刺激具の外形寸法は、口内に挿入される姿勢で、左右の幅が約３０〜７０ｍｍ、上下の高さが約２０〜７０ｍｍ、厚さが約０．５〜７ｍｍの範囲にあることが望ましい。上下の高さについては、更に把持部の高さ寸法が付加される。幅および高さは個人差により適切な寸法が決められる。また、厚さは１〜５ｍｍであることが一層好ましく、２〜４ｍｍであることが最も好ましい。また、これらの寸法は、それぞれ独立して決めてもよく、上記実施形態に記載された形状と相似形である必要はない。
【００５２】
また、上記各実施形態において、開口が形成されていない口内刺激具１００、１１０、１２０、１３０、１４０、１５０，１６０、１７０、１７０’、１８０、２１０、２１０’、２４０、２５０、２６０、２７０、２８０、３００および５００にあっては、開口を必要に応じ、適宜箇所に設けてもよいことはもちろんである。
【００５３】
次に、本願考案の口内刺激具が美容にも効果があることを実証した実験結果について説明する。
【００５４】
「実験の内容」
本願考案の口内刺激具１と、比較のために、ツボを刺激することがないように上部４を取り除いたコントロールとを用い、それぞれ２０人の被験者（合計４０人）について実験を行った。
【００５５】
「実験結果」
その結果、下の表に示すように、本願口内刺激具１の使用者については、２０人のうち１０人について、非対称変化が認められた。すなわち顔の軟組織が左右非対称に修正できる可能性が高いという結果が得られた。残りの１０人は変化が認められなかった。他方、コントロールについては、非対称変化が認められたのは、３人だけで、１７人は効果が認められなかった。このことから本願口内刺激具の効果があることが実証された。
【表１】
0003144217.tif 000003
【産業上の利用可能性】
【００５６】
本考案の口内刺激具は、鼻炎や、鼻詰まりの人が使用したり、顔のゆがみのある人、特に歯列矯正後に顔の歪みが生じた人が、そのゆがみを矯正するために使用することができる。
【図面の簡単な説明】
【００５７】
【図１】本考案に係る口内刺激具の一例を示す。
【図２】顔面のツボを示す概略図である。
【図３】図１の口内刺激具の変形例である。
【図４】口内刺激具として成り立つ他の形状を示したものであり、（Ａ）は変形Ｖ形、（Ｂ）は凹形、（Ｃ）はＶ形、（Ｄ）は変形Ｖ形、（Ｅ）は変形Ｙ形、（Ｆ）はＹ形を示す。
【図５】口内刺激具として成り立つ別の形状を示したものであり、（Ａ）はハート形、（Ｂ）は変形ハート形、（Ｃ）はＫ形、（Ｄ）はＲ形、（Ｅ）は変形Ｒ形、（Ｆ）はＨ形を示す。
【図６】口内刺激具として成り立つさらに他の形状を示したものであり、（Ａ）はＢ形、（Ｂ）はＣ形、（Ｃ）はＥ形、（Ｄ）はＭ形、（Ｅ）はＵ形、（Ｆ）はＸ形を示す。
【図７】口内刺激具として成り立つさらに別の形状を示したものであり、（Ａ）はＮ形、（Ｂ）はＡ形、（Ｃ）はＳ形をそれぞれ示す。
【図８】（Ａ）は、図５（Ｂ）の変形ハート型の口内刺激具に把持部を追加して設けた図であり、（Ｂ）は、図５（Ｆ）のＨ形の口内刺激具に把持部を追加して設けた図である。
【図９】触覚状部分を有する他の口内刺激具の例を示す。
【符号の説明】
【００５８】
１、１’、１００、１１０、１２０、１３０、１４０、１５０、１６０、１７０、１７０’、１８０、１９０、２００、２１０、２１０’、２２０、２３０、２４０、２５０、２６０、２７０、２８０、２９０、３００、５００    口内刺激具
２、２’、１４２、１７２、２１２、５０２    下部
４、４’、１４４、２２４、５０４    上部
３、５２３    本体
６、１０６、１１６、１２６、１３６、１４６、１５６、１６６、１７６、１８６、１９７、２１６、２２９、２３９、２４９、２５６、２６６、２７６、２８６、２９７、３０９ｂ、５０６    切欠き
１２、１０３、１１３、１２３、１３３、１４３、１５３、１６３、１７３、１８３、１９８、２１３、２２１、２３１、２４１、２６３、２７３、２８３、２９８、３０１    上縁
２５、２５’、１７５、２１５、５２５    把持部
１９２、２０２、２２４、２３２、２９２    通気孔
５２４    触覚状部分
５２６    基端部
Ｃ、Ｄ、Ｅ、Ｆ    ツボ
【図１】
0003144217.tif 000004
【図２】
0003144217.tif 000005
【図３】
0003144217.tif 000006
【図４】
0003144217.tif 000007
【図５】
0003144217.tif 000008
【図６】
0003144217.tif 000009
【図７】
0003144217.tif 000010
【図８】
0003144217.tif 000011
【図９】
0003144217.tif 000012